(57)【要約】【課題】防湿、防雨、塩害、粉塵、オイルミストなどに対応する電源ＢＯＸを備えたＬＥＤ照明装置の提供を目的とする。【解決手段】本体と、光源と、を有し、前記光源は、ヒートシンクを上部に有し、下部にＬＥＤを備え、前記光源と前記本体とは、前記ヒートシンクが前記本体の上端より露出するよう取り付けられる照明装置において、前記ヒートシンクの溝に垂直方向に横断するコの字状のアームを有し、前記アームの上下方向の中間内側に電源基板を収容する電源ＢＯＸを有し、前記電源ＢＯＸは、少なくとも１つの開口部を有する筒状部材と、樹脂カバーと、電源回路基板と、からなり、前記筒状部材の内部には前記電源回路基板を保持するためのリブを有し、前記筒状部材の前記開口部には、前記電源回路基板の端部を押さえる樹脂カバーを有し、前記樹脂カバーまたは前記筒状部材に溝が設けられており、該溝にパッキンを介し前記樹脂カバーと前記筒状部材とを固定する。【選択図】図１
2014203720.tif 000002
【特許請求の範囲】
【請求項１】
本体と、光源と、を有し、前記光源は、ヒートシンクを上部に有し、下部にＬＥＤを備え、前記光源と前記本体とは、前記ヒートシンクが前記本体の上端より露出するよう取り付けられる照明装置において、前記ヒートシンクの溝に垂直方向に横断するコの字状のアームを有し、前記アームの上下方向の中間内側に電源基板を収容する電源ＢＯＸを有し、前記電源ＢＯＸは、少なくとも１つの開口部を有する筒状部材と、樹脂カバーと、電源回路基板と、からなり、前記筒状部材の内部には前記電源回路基板を保持するためのリブを有し、前記筒状部材の前記開口部には、前記電源回路基板の端部を押さえる樹脂カバーを有し、前記樹脂カバーまたは前記筒状部材に溝が設けられており、該溝にパッキンを介し前記樹脂カバーと前記筒状部材とを固定することを特徴とするＬＥＤ照明装置。
【発明の詳細な説明】
【技術分野】
【０００１】
本発明はＬＥＤ照明装置に関する。
【背景技術】
【０００２】
現在、様々な製品において省エネルギー化の動きが進んでいる。省エネルギー化の動きに伴い、照明業界では、発光効率が良く省エネルギーなＬＥＤを光源としたものの需要が高まってきている。家庭用照明においては白熱電球からＬＥＤ電球へと切替が進んでいる。
【０００３】
これまで工場などの照明には、電灯よりも長寿命であり、明るく照射することのできる水銀灯が用いられていた。ただし、ＬＥＤ照明装置は水銀灯と比べると長寿命であり、水銀灯と同様に明るく照射することができ、水銀灯よりも始動性が良く、水銀灯よりも消費電力を減らすことができるため、工場などの照明にもＬＥＤを光源としたものが望まれている。
【先行技術文献】
【特許文献】
【０００４】
【特許文献１】特開２０１２−１６０２５９号公報
【発明の概要】
【発明が解決しようとする課題】
【０００５】
ところで、ＬＥＤ照明装置を工場に使用する場合、その使用環境により、防湿、防雨、塩害、粉塵、オイルミストなどに対応する必要がある。ＬＥＤ照明装置においては、電源回路を収容した電源ＢＯＸについて、特に対応する必要がある。本発明は、防湿、防雨、塩害、粉塵、オイルミストなどに対応する電源ＢＯＸを備えたＬＥＤ照明装置の提供を目的とする。
【課題を解決するための手段】
【０００６】
本体と、光源と、を有し、前記光源は、ヒートシンクを上部に有し、下部にＬＥＤを備え、前記光源と前記本体とは、前記ヒートシンクが前記本体の上端より露出するよう取り付けられるＬＥＤ照明装置において、前記ヒートシンクは複数の溝を有し、その溝に垂直方向に横断するコの字状のアームを有し、前記アームの上下方向の中間内側に電源回路基板を収容する電源ＢＯＸを有する。前記電源ＢＯＸは、中央を筒形状とし、内部には電源基板を固定するための押さえリブを有し、前記電源ＢＯＸの両端には、電源基板を押さえる樹脂カバーを有し、前記樹脂カバーには、電源ＢＯＸの端面と平行な溝を有し、樹脂カバーの溝に発泡性の口の字パッキンを有し、前記樹脂カバーにより電源基板を押さえることを特徴とするＬＥＤ照明装置。
【発明の効果】
【０００７】
本発明によれば、防湿、防雨、塩害、粉塵、オイルミストなどに対応する電源ＢＯＸを備えたＬＥＤ照明装置を提供することができる。
【図面の簡単な説明】
【０００８】
【図１】照明装置の側面図。
【図２】床面方向から見た際の照明装置の全体斜視図。
【図３】天井方向から見た際の照明装置の全体斜視図。
【図４】照明装置の断面図。
【図５】電源ＢＯＸの一端部の分解図。
【図６】照明装置の分解図。
【図７】電源ＢＯＸの分解図
【発明を実施するための形態】
【０００９】
本発明は、下記の構成を特徴とするものである。本体２１と、光源１９と、を有し、前記光源１９は、ヒートシンク８を上部に有し、下部にＬＥＤを備え、前記光源１９と前記本体２１とは、前記ヒートシンク８が前記本体２１の上端より露出するよう取り付けられる照明装置において、前記ヒートシンク８の上部に配置し、かつ左右に開口を有する筒状の電源ＢＯＸ２０を有し、該部材の両端の樹脂カバー５により、ネジを不要とし防湿、防雨、塩害、粉塵、オイルミストなどに対応することを特徴とする。
【００１０】
以下、本発明の実施例にかかる照明装置１００の構成を添付の図１〜図６を用いて説明する。また、実施例内の説明の便宜上、図示しない天井側を上側、床面側を下側とする。
本照明装置１００は、建築物、主に工場の内部の天井面に設置され、建築物に設けられた屋内配線器具と接続されることで外部電源と接続されるとともに所定の位置に固定されて使用されるものである。
【００１１】
図１は、照明装置１００の側面図である。後ほど詳述するが、照明装置１００は、アーム１と、電源ＢＯＸ２０と、光源１９と、本体２１と、から構成されている。図２は、図示しない天井面に設置された照明装置１００を床面方向から見た際の照明装置１００の全体斜視図である。図３は、照明装置１００を天井方向から見た際の照明装置１００の全体斜視図である。図４は、照明装置１００の断面図である。図５は、電源ＢＯＸの一端部の分解図である。図６は、照明装置１００の分解斜視図である。
【００１２】
図１、図４、図６に示すように、アーム１は、側面視で凹形状となるよう形成された部材である。アーム１により、照明装置１００全体の重さを支えられれば良く、厚さや長さに規定はない。アーム１は、照明装置１００全体の重さを支えるために、重量に耐えうる材料で形成することが望ましい。アーム１は、板状の天井部１ａと、天井部１ａの両端部から略垂直に設けられた板状のアーム部１ｂとからなる。照明装置１００においては、アーム１の天井部１ａのみが天井と（建造物と）接する。照明装置１００から発せられた熱を建造物に伝える際は、アーム１を介して伝熱することになる。そのため、アーム１は伝熱性の良い材料で形成することが望ましい。伝熱性が良く、重量に耐えうる材料ということで、アーム１は、鉄などの材料で形成することが望ましい。
【００１３】
図７に示すように、電源ＢＯＸ２０は、筒状部材２と、パッキン３と、電源回路基板４と、樹脂カバー５と、ねじ２２と、から構成されている。電源ＢＯＸ２０の外観は略直方体形状である。筒状部材２は、両端に開口部を有し開口部通しが連通した直方体の筒形状の部材である。筒状部材２には、内部に電源回路基板４を保持するためのリブ２ａが設けられている。本実施例において、リブ２ａは２つで１枚の電源回路基板４を保持する。リブ２ａは筒状部材２の内部の上面、下面、側面の少なくとも１面に設けられており、その際、１面には少なくとも２つのリブ２ａが設けられている。リブ２ａが４つ以上ある場合には電源回路基板４も１枚以上設けることができる。リブ２ａのみで電源回路基板４を保持したのみでは、開口部から電源回路基板４が落ちる恐れがある。また、リブ２ａで電源回路基板４を保持した場合は、図５に示すように筒状部材２の両端の開口部から電源回路基板４の端部が突出した状態となる。ここで、樹脂カバー５は一面に開口部を有する略直方体形状の部材である。樹脂カバー５の開口部と筒状部材２の一方の開口部とを対向させるようにし、ねじ２２で樹脂カバー５と筒状部材２とを固定することで、電源回路基板４の一端を押さえることができる。同様に、筒状部材２の他方の開口部と樹脂カバー５の開口部とを対向させるようにし、ねじ２２で樹脂カバー５と筒状部材２とを固定することで、電源回路基板４の他端を押さえることができる。筒状部材２の両方の開口部を樹脂カバー５で覆うように固定することにより電源回路基板４の両端を押さえることができる。これにより、電源回路基板４を筒状部材２にネジ止めすることなく押さえることができるという効果を奏する。ネジ止めすることなく電源回路基板４を押さえることができるため、部材低減の効果を奏する。また、電源回路基板４を筒状部材２にネジ止めする場合は、ネジ止め箇所から水等が浸入する恐れがあるが、本実施例ではその恐れをなくし、防水、防雨、防湿効果をも奏することになる。
【００１４】
筒状部材の開口面側または樹脂カバーの開口面側の少なくとも一方に環状の溝が形成されている。筒状部材２と樹脂カバー５とは、この溝にパッキン３を介し固定する。パッキンは発泡性の部材である。パッキン３を介して固定することにより、筒状部材２の開口面と樹脂カバー５の開口面との境目を塞ぐことができ、水等の浸入を抑制する防水、防雨、防湿効果を奏し、防湿、防雨、塩害、粉塵、オイルミストなどに対応する電源ＢＯＸを実現することができる。
【００１５】
また、本実施例ではねじ２２の固定箇所に小パッキン２２を設けている。これによりねじ２２で固定する箇所からの水などの浸入を防ぐことができる。
【００１６】
また、樹脂カバー５と筒状部材２とをねじ２２で固定する箇所は、溝の位置する箇所よりも外周側である。これにより、ねじ２２で固定する箇所からの水等の浸入を抑制する防水、防雨、防湿効果奏し、更に機密性の高い電源ＢＯＸを実現することができる。
【００１７】
なお、本実施例では筒状部材２の開口部を２つとしたがこの限りでない。筒状部材２は電源回路基板４を保持できる機能があれば良いため、開口部が１つでもよい。開口部が１つの場合は、水等が浸入する恐れのある筒状部材２の開口面と樹脂カバー５の開口面の境目が一箇所となり、更に防水、防雨、防湿効果を奏することになる。
【００１８】
図６に示すように、光源１９は、ヒートシンク８と、放熱板６と、絶縁シート９と、ＬＥＤ１０と、ＬＥＤ係止板１１と、から構成されている。ヒートシンク８は、平板部と、平板部の一面に設けられる凹凸部と、からなる。凹凸部における凸部は略板状であり、複数の凸部が平板部から略垂直となるよう突出している。凸部が設けられる方向は同一であるため、凹部も同一方向を向く。平板部の他面には、ＬＥＤ１０が設けられる。ＬＥＤ１０とヒートシンク８とは絶縁シート９と放熱板６とを介して接続され、ＬＥＤ係止板１１によりＬＥＤ１０はヒートシンク８に固定されている。放熱板６はヒートシンク側の放熱板下部６ａとＬＥＤ１０側の放熱板上部６ｂとがある。ＬＥＤ１０は、基板と、基板上に載置された発光素子と、から構成されている。発光素子で発生した熱は、基板、絶縁シート９を介し、ヒートシンク８へと伝わる。ヒートシンク８まで伝わった熱は、ヒートシンク８の凹凸部により外部空気に触れ、放熱される。ヒートシンク８からの放熱効果を奏するものであれば、この形状に限らない。ヒートシンク８は、その役割上、放熱性の良い材料で形成することが望ましい。また、全体重量の関係もあるため、なるべく軽い材料で形成することが望ましい。よって、ヒートシンク８はアルミなどの材料で形成することが望ましい。
【００１９】
図６に示すように、本体２１は、本体支持部材１２と、反射筒１４と、筒部材１５と、本体側板１６と、透光カバー１７と、から構成されている。本体支持部材１２は、本体底板部１３と、本体支持部と、からなる。本体底板部１３は、略板形状の部分である。本体底板部１３には筒部材１５を取り付ける開口部が設けられている。開口部は光源１９の数となるよう設けられている。本体支持部は、本体底板部１３の端部に、該本体底板部１３から略垂直となるように設けられている板状の部分である。本実施例においては本体支持部はアーム部１ｂと同数となるよう２部が設けられている。反射筒１４は、上面から下面に向かって徐々に断面積が広がる略円筒形状の部材である。また、反射筒１４の内面は、鏡状になっており、光源１９からの光を、反射し下方（床面方向）に導く。筒部材１５は、略円筒形状の部材である。
反射筒１４を内部に備えた上で、筒部材１５と本体底板部１３とが接続される。筒部材１５が接続される位置は、本体底板部１３の開口部が筒部材１５の開口に臨む位置である。
本体側板１６は、両底面が開口した略筒状の部材である。本実施例において、本体側板１６の開口面積は本体底板部１３と略同一の大きさを有すものである。但し、本体側板１６の開口面積は、複数の筒部材１５を覆うことができるだけの大きさがあればよい。透光カバー１７は、略板状の透光部材である。透光カバー１７の面積は、複数の筒部材１５に面する大きさがあればよい。透光カバー１７の材料としては、ガラス、プラスチックなど透光性の材料であれば良い。本体側板１６と透光カバー１７との間には環状の樹脂カバー２３が設けられており、本体側板１６と透光カバー１７との間からの水などの浸入を防いでいる。これにより、本体側板１６と透光カバー１７との間からの水等の浸入を抑制する防水、防雨、防湿効果を奏する。  図１〜図４に示すように、電源ＢＯＸ２０は、アーム１のアーム部１ｂに接続されている。本実施例においては、電源ＢＯＸ２０が直方体形状をしており、短辺側の板部Ｂがアーム部１ｂと接続されている。電源ＢＯＸ２０とアーム１とを接続することで、電源回路４からの熱を、上板２、下板５を介してアーム部１ｂに伝えることが可能となる。
【００２０】
図１〜図５に示すように、アーム１のアーム部１ｂと、本体支持部材１２の本体支持部と、がネジで接続される。これにより、本体２１とアーム１とが接続される。本実施例では、アーム部１ｂ側から見た際に、アーム１の天井部１ａと、本体支持部材１２の本体底面部とは略平行となるように接続されている。
【００２１】
図１〜図５に示すように、光源１９と、本体２１とは、本体支持部材１２の本体底面部にヒートシンク８をネジ止めすることで接続される。光源１９と本体２１との接続の際、本体指示部材の開口部からＬＥＤが臨むように、かつヒートシンク８は本体２１の上部に位置するように接続される。
【００２２】
ここで、照明装置１００において、最も温度が高い部分は、ヒートシンク８である。そのため、ヒートシンク８の放熱、または伝熱を行うことで照明装置１００全体の温度を下げることができる。熱と効率には相関関係があり、熱を下げることで効率低下を抑制することができる。
【００２３】
図３に示すように、本実施例において、アーム１の本体２１支持部の板の向きと、凹凸部における凸部が設けられる方向が同じ向きとなるように、光源１９は本体２１に取り付けられている。本実施例において、光源１９は３つ実装されるが、何れも同じ向きとなるように本体２１に取り付けられている。
【００２４】
また、本実施例においては、アーム１に対して本体２１上面が垂直となるように設けているが、この限りではない。アーム１に対して本体２１上面が垂直以外の角度を有するように設けることも可能である。例えば、アーム１に対して本体２１上面が６０度となるように設けることが可能である。このように設けることで、光源１９の照射方向もアーム１の天井面に対して６０度傾けることが可能となり、所望の角度とすることが可能となる。
【００２５】
また、本実施例では、天井に傾きがある部分に設置しても光源１９を直下に向けることが可能となる。
【００２６】
また、アーム１の本体支持部の板の向きと、凹凸部における凸部が設けられる方向が同じ向きとなるように設けられているため、アーム１に対して本体２１上面を傾けると、凹凸部における凹部を空気が通り易くなり、ヒートシンク８の冷却を更に促進するという効果を奏する。
【符号の説明】
【００２７】
１  アーム
１ａ  天井部
１ｂ  アーム部
２  上板
４  電源回路
５  下板
６  放熱板
６ａ  放熱板下部
６ｂ  放熱板上部
７  放熱板支持部材
８  ヒートシンク
９  絶縁シート
１０  ＬＥＤ
１１  ＬＥＤ係止板
１２  本体支持部材
１３  本体底板部
１４  反射筒
１５  筒部材
１６  本体側板
１７  透光カバー
１８  透光カバー係止部材
１９  光源
２０  電源ＢＯＸ
２１  本体
１００  照明装置
【図１】
2014203720.tif 000003
【図２】
2014203720.tif 000004
【図３】
2014203720.tif 000005
【図４】
2014203720.tif 000006
【図５】
2014203720.tif 000007
【図６】
2014203720.tif 000008
【図７】
2014203720.tif 000009